(57)【特許請求の範囲】
【請求項１】
建物の壁の室内側表面に配設される配線モジュール本体を有し、当該配線モジュール本体の側縁に係止溝を形成し、当該係止溝の内側に電力供給および情報信号の伝送を行うための導電路が配置された配線モジュールと、
前記係止溝に引掛係止する係止手段、導電路に電気的に接続する接続手段および所定の機能を有する機能部を有し、係止手段を係止溝に引掛係止させることで配線モジュールに取着した状態で、接続手段を介して導電路から電力の供給又は情報信号の授受の内少なくとも何れか一方又は両方を行う機能モジュールとを備え、
前記機能モジュールは機能部を挟んで両側に係止手段を備え、一方の係止手段に電力供給を行うための接続手段を、他方の係止手段に情報信号の伝送を行うための接続手段をそれぞれ設けるとともに、各係止手段がそれぞれ引掛係止される係止溝を配線モジュール本体に設け、一方の係止手段が引掛係止される係止溝に電力供給のための導電路を、他方の係止手段が引掛係止される係止溝に情報信号の伝送を行うための導電路をそれぞれ配置したことを特徴とする配線システム。
【請求項２】
建物の壁の室内側表面に配設される配線モジュール本体を有し、当該配線モジュール本体の側縁に係止溝を形成し、当該係止溝の内側に電力供給および情報信号の伝送を行うための導電路が配置された配線モジュールと、
前記係止溝に引掛係止する係止手段、導電路に電気的に接続する接続手段および所定の機能を有する機能部を有し、係止手段を係止溝に引掛係止させることで配線モジュールに取着した状態で、接続手段を介して導電路から電力の供給又は情報信号の授受の内少なくとも何れか一方又は両方を行う機能モジュールとを備え、
前記機能モジュール本体に、接続手段を介して前記導電路に接続される接続口を具備したゲート装置を設け、前記接続口に接続される被接続部を具備して当該被接続部を前記接続口に接続した状態で前記機能モジュール本体の室内側の表面に配置され、ゲート装置を介して電力の供給又は情報信号の授受の内の少なくとも何れか一方又は両方を行う基本機能モジュールを設け、当該基本機能モジュールにより前記機能部を構成することを特徴とする配線システム。
【請求項３】
前記配線モジュール本体が、建物の壁の下側部に取着される腰板からなることを特徴とする請求項１又は２記載の配線システム。
【請求項４】
前記機能モジュールは、前記配線モジュールの係止溝に係止する手段を具備して配線モジュールに取着される造作部材とは別体に形成された機能モジュール本体に、前記係止手段と前記接続手段と前記機能部とを設けたことを特徴とする請求項１乃至３の何れか１項に記載の配線システム。
【請求項５】
前記機能モジュールは、前記配線モジュールの係止溝に係止する手段を具備して配線モジュールに取着される造作部材とは別体に形成された機能モジュール本体に、前記係止手段と前記接続手段と前記機能部とを設けてあり、機能モジュール本体を他の造作部材と組み合わせることで見切り縁を構成することを特徴とする請求項１乃至３の何れか１項に記載の配線システム。
【請求項６】
前記機能モジュールは、前記配線モジュールに取着される見切り縁よりなる機能モジュール本体に、前記係止手段と前記接続手段と前記機能部とを設けたことを特徴とする請求項１乃至３の何れか１項に記載の配線システム。
【請求項７】
前記基本機能モジュールと並べて機能モジュール本体の室内側の表面に配置され、前記基本機能モジュールを介して電力の供給又は情報信号の授受の内の少なくとも何れか一方又は両方を行う拡張機能モジュールを設け、当該拡張機能モジュールが前記基本機能モジュールとともに前記機能部を構成することを特徴とする請求項２記載の配線システム。
【請求項８】
ガイド灯と、周囲照度が所定のしきい値よりも暗くなると制御信号を含む情報信号を送信する明るさセンサからの制御信号を受け取ると前記ガイド灯を点灯させる点灯制御部とで構成される機能部を具備した複数の機能モジュールを配線モジュールに取り付け、明るさセンサが制御信号を出力すると機能モジュールの点灯制御部がガイド灯を点灯させることを特徴とする請求項１乃至７の何れか１項に記載の配線システム。
【請求項９】
ガイド灯と、前記ガイド灯の点灯状態を制御する点灯制御部とで構成される機能部を具備した複数の機能モジュールを配線モジュールに取り付け、機能モジュールの点灯制御部がガイド灯を点灯させることを特徴とする請求項１乃至７の何れか１項に記載の配線システム。
【請求項１０】
誘導灯と、情報信号に含まれる制御信号に応じて前記誘導灯の点灯状態を制御する点灯制御部とで構成される機能部を具備した複数の機能モジュールを配線モジュールに取り付け、複数の機能モジュールが備える誘導灯を所定の順番でサイクリックに点滅させることを特徴とする請求項１乃至７の何れか１項に記載の配線システム。
【請求項１１】
誘導灯と、情報信号に含まれる制御信号に応じて前記誘導灯の点灯状態を制御する点灯制御部とで構成される機能部を具備した複数の機能モジュールを配線モジュールに取り付け、機能モジュールは制御信号が入力されると誘導灯を点灯させることを特徴とする請求項１乃至７の何れか１項に記載の配線システム。
【請求項１２】
前記導電路が、電源供給のための電力ラインと、情報信号を伝送するための情報ラインとで構成されることを特徴とする請求項１乃至１１の何れか１項に記載の配線システム。
【請求項１３】
前記導電路が電源供給のための電力ラインからなり、前記電力ラインを介して電力線搬送通信により情報信号を授受する電力線搬送通信手段を、前記ゲート装置又は前記基本機能モジュールの何れかに設けたことを特徴とする請求項１乃至１１の何れか１項に記載の配線システム。
【発明の詳細な説明】
【技術分野】
【０００１】
本発明は、配線システムに関するものである。
【背景技術】
【０００２】
従来の屋内配線では、建物の壁の裏側に電気配線を先行配線しておき、壁の要所に設けたスイッチボックスまで電気配線を導入していた。そして、コンセントやスイッチなどの埋込型配線器具を配設する際には、スイッチボックスから引き出した電気配線を埋込型配線器具の端子部に接続した後、配線器具用に規格化された取付枠を用いて配線器具をスイッチボックスに埋込配設していた（例えば特許文献１参照）。
【特許文献１】特開２００１−３７０３７号公報（段落［０００２］、及び、第１３図）
【発明の開示】
【発明が解決しようとする課題】
【０００３】
上述した従来の屋内配線では、スイッチボックスの施工場所が予め決められており、埋込型の電源コンセントや情報コンセントなどの場所を自由に移動させることができなかった。そのため、電気機器を設置したい場所の近くに電源コンセントや情報コンセントが無い場合は、離れた場所にある電源コンセントや情報コンセントからテーブルタップやモジュラコードを用いて延長配線しなければならず、電源コードやモジュラコードを床に引き回すため、配線が見苦しく部屋の美観を損ねるという問題があった。
【０００４】
本発明は上記問題点に鑑みて為されたものであり、その目的とするところは、機能モジュールの配置を容易に変更できる配線システムを提供することにある。
【課題を解決するための手段】
【０００５】
上記目的を達成するために、請求項１の発明は、建物の壁の室内側表面に配設される配線モジュール本体を有し、当該配線モジュール本体の側縁に係止溝を形成し、当該係止溝の内側に電力供給および情報信号の伝送を行うための導電路が配置された配線モジュールと、前記係止溝に引掛係止する係止手段、導電路に電気的に接続する接続手段および所定の機能を有する機能部を有し、係止手段を係止溝に引掛係止させることで配線モジュールに取着した状態で、接続手段を介して導電路から電力の供給又は情報信号の授受の内少なくとも何れか一方又は両方を行う機能モジュールとを備え、前記機能モジュールは機能部を挟んで両側に係止手段を備え、一方の係止手段に電力供給を行うための接続手段を、他方の係止手段に情報信号の伝送を行うための接続手段をそれぞれ設けるとともに、各係止手段がそれぞれ引掛係止される係止溝を配線モジュール本体に設け、一方の係止手段が引掛係止される係止溝に電力供給のための導電路を、他方の係止手段が引掛係止される係止溝に情報信号の伝送を行うための導電路をそれぞれ配置したことを特徴とする。
【０００６】
請求項２の発明は、建物の壁の室内側表面に配設される配線モジュール本体を有し、当該配線モジュール本体の側縁に係止溝を形成し、当該係止溝の内側に電力供給および情報信号の伝送を行うための導電路が配置された配線モジュールと、前記係止溝に引掛係止する係止手段、導電路に電気的に接続する接続手段および所定の機能を有する機能部を有し、係止手段を係止溝に引掛係止させることで配線モジュールに取着した状態で、接続手段を介して導電路から電力の供給又は情報信号の授受の内少なくとも何れか一方又は両方を行う機能モジュールとを備え、前記機能モジュール本体に、接続手段を介して前記導電路に接続される接続口を具備したゲート装置を設け、前記接続口に接続される被接続部を具備して当該被接続部を前記接続口に接続した状態で前記機能モジュール本体の室内側の表面に配置され、ゲート装置を介して電力の供給又は情報信号の授受の内の少なくとも何れか一方又は両方を行う基本機能モジュールを設け、当該基本機能モジュールにより前記機能部を構成することを特徴とする。
【０００７】
請求項３の発明は、請求項１又は２の発明において、配線モジュール本体が、建物の壁の下側部に取着される腰板からなることを特徴とする。
【０００８】
請求項４の発明は、請求項１乃至３の何れか１つの発明において、機能モジュールは、配線モジュールの係止溝に係止する手段を具備して配線モジュールに取着される造作部材とは別体に形成された機能モジュール本体に、係止手段と接続手段と機能部とを設けたことを特徴とする。
【０００９】
請求項５の発明は、請求項１乃至３の何れか１つの発明において、機能モジュールは、配線モジュールの係止溝に係止する手段を具備して配線モジュールに取着される造作部材とは別体に形成された機能モジュール本体に、係止手段と接続手段と機能部とを設けてあり、機能モジュール本体を他の造作部材と組み合わせることで見切り縁を構成することを特徴とする。ここに、見切り縁とは、幅木や周り縁や腰見切り縁などの見切りに取り付ける部材のことである。
【００１０】
請求項６の発明は、請求項１乃至３の何れか１つの発明において、機能モジュールは、配線モジュールに取着される見切り縁よりなる機能モジュール本体に、係止手段と接続手段と機能部とを設けたことを特徴とする。
【００１２】
請求項７の発明は、請求項２の発明において、基本機能モジュールと並べて機能モジュール本体の室内側の表面に配置され、基本機能モジュールを介して電力の供給又は情報信号の授受の内の少なくとも何れか一方又は両方を行う拡張機能モジュールを設け、当該拡張機能モジュールが基本機能モジュールとともに機能部を構成することを特徴とする。
【００１３】
請求項８の発明は、請求項１乃至７の何れか１つの発明において、ガイド灯と、周囲照度が所定のしきい値よりも暗くなると制御信号を含む情報信号を送信する明るさセンサからの制御信号を受け取るとガイド灯を点灯させる点灯制御部とで構成される機能部を具備した複数の機能モジュールを配線モジュールに取り付け、明るさセンサが制御信号を出力すると機能モジュールの点灯制御部がガイド灯を点灯させることを特徴とする。
【００１４】
請求項９の発明は、請求項１乃至７の何れか１つの発明において、ガイド灯と、ガイド灯の点灯状態を制御する点灯制御部とで構成される機能部を具備した複数の機能モジュールを配線モジュールに取り付け、機能モジュールの点灯制御部がガイド灯を点灯させることを特徴とする。
【００１５】
請求項１０の発明は、請求項１乃至７の何れか１つの発明において、誘導灯と、情報信号に含まれる制御信号に応じて誘導灯の点灯状態を制御する点灯制御部とで構成される機能部を具備した複数の機能モジュールを配線モジュールに取り付け、複数の機能モジュールが備える誘導灯を所定の順番でサイクリックに点滅させることを特徴とする。
【００１６】
請求項１１の発明は、請求項１乃至７の何れか１つの発明において、誘導灯と、情報信号に含まれる制御信号に応じて誘導灯の点灯状態を制御する点灯制御部とで構成される機能部を具備した複数の機能モジュールを配線モジュールに取り付け、機能モジュールは制御信号が入力されると誘導灯を点灯させることを特徴とする。
【００１７】
請求項１２の発明は、請求項１乃至１１の何れか１つの発明において、導電路が、電源供給のための電力ラインと、情報信号を伝送するための情報ラインとで構成されることを特徴とする。
【００１８】
請求項１３の発明は、請求項１乃至１１の何れか１つの発明において、導電路が電源供給のための電力ラインからなり、電力ラインを介して電力線搬送通信により情報信号を授受する電力線搬送通信手段を、ゲート装置又は基本機能モジュールの何れかに設けたことを特徴とする。
【発明の効果】
【００１９】
請求項１の発明によれば、配線モジュール本体の側縁に設けた係止溝の内側に電力供給と情報信号の伝送を行うための導電路が配置されており、機能モジュールの係止手段を係止溝に引掛係止すると、機能モジュールが接続手段を介して導電路から電力の供給又は情報信号の授受の内少なくとも何れか一方又は両方を行うことができるので、配線モジュールの所望の位置に機能モジュールを取り付けることで、所望の機能を必要な場所に設けることができ、また機能モジュールの取付位置を容易に変更できるから、室内のレイアウト変更などで機能モジュールの取付位置を変更したい場合にも容易に対応できるという効果がある。しかも、機能部を挟んで両側に設けた係止手段の内の一方に電力供給を行うための接続手段を、他方に情報信号の伝送を行うための接続手段をそれぞれ設けているので、電源ラインと情報ラインとを分離して配置することで、絶縁性を高めることができる。
【００２０】
請求項２の発明によれば、配線モジュール本体の側縁に設けた係止溝の内側に電力供給と情報信号の伝送を行うための導電路が配置されており、機能モジュールの係止手段を係止溝に引掛係止すると、機能モジュールが接続手段を介して導電路から電力の供給又は情報信号の授受の内少なくとも何れか一方又は両方を行うことができるので、配線モジュールの所望の位置に機能モジュールを取り付けることで、所望の機能を必要な場所に設けることができ、また機能モジュールの取付位置を容易に変更できるから、室内のレイアウト変更などで機能モジュールの取付位置を変更したい場合にも容易に対応できるという効果がある。しかも、基本機能モジュールは、機能モジュール本体に設けたゲート装置に取着され、ゲート装置を介して電源の供給と情報信号の授受とを行っており、ゲート装置に接続する基本機能モジュールを変更することで、所望の機能を有する基本機能モジュールを使用でき、基本機能モジュールの機能変更や更新に容易に対応できるという効果がある。
【００２１】
請求項３の発明によれば、腰板に機能モジュールを取り付けることで、腰高の位置に機能モジュールを配置することができる。
【００２２】
請求項４の発明によれば、機能モジュール本体が単体で配線モジュールに取り付けられるので、自由な位置に機能モジュールを取り付けることができる。
【００２３】
請求項５の発明によれば、機能モジュール本体を他の造作部材と組み合わせて配線モジュールに取り付けることで、見切り縁を構成でき、室内の美観を高めることができる。
【００２４】
請求項６の発明によれば、機能モジュール本体が造作部材で構成されているので、機能モジュール本体を配線モジュールに取り付けることで、室内の美観を高めることができる。
【００２６】
請求項７の発明によれば、基本機能モジュールに対して拡張機能モジュールを並べて配置すると、拡張機能モジュールは基本機能モジュールを介して電力の供給又は情報信号の授受の内の少なくとも何れか一方又は両方を行えるので、機能の拡張や変更にも容易に対応できるという効果がある。
【００２７】
請求項８および９の発明によれば、複数の機能モジュールの光を連ねてガイド灯として機能させることができる。
【００２８】
請求項１０の発明によれば、誘導灯と点灯制御部とを備えた複数の機能モジュールを配線モジュールに取り付け、複数の機能モジュールが備える誘導灯を所定の順番でサイクリックに点滅させているので、複数の機能モジュールの光が連なって誘導灯として機能するとともに、点滅する光が走行する方向に人を誘導することができる。
【００２９】
請求項１１の発明によれば、複数の機能モジュールの光が連なって誘導灯として機能させることができる。
【００３０】
請求項１２の発明によれば、電力ラインと情報ラインとを用いて電力の供給と情報信号の伝送とを行うことができる。
【００３１】
請求項１３の発明によれば、電力ラインが情報ラインを兼用しているので、造営面の内側に情報線を先行配線しておく必要が無く、電力線のみを先行配線しておけば良いので、配線施工を簡略化することができる。
【発明を実施するための最良の形態】
【００３２】
以下に本発明の実施の形態を図面に基づいて説明する。
【００３３】
（基本構成）
本発明に係る配線システムの基本構成を図１〜図５に基づいて説明する。なお以下の説明では特に断りが無いかぎり、図１（ａ）に示す向きにおいて上下左右の方向を規定し、図１（ａ）の正面を前面とする。したがって図１（ｂ）における右端は後端となる。
【００３４】
この配線システムは、建物の壁の室内側表面の下側部に、左右方向に並べて取着される複数の腰板モジュール（配線モジュール）Ａと、腰板モジュールＡに取り付けられ腰板モジュールＡを介して電力の供給と情報信号の授受とを行う機能モジュールＢとで構成される。
【００３５】
腰板モジュールＡは、建物の壁の室内側表面の下側部に取着される腰板パネル（配線モジュール本体）１を有し、腰板パネル１の上側縁の背面側には左右方向の略全体に亘って係止溝２を形成してある。そして、係止溝２の内側面には、電力供給のための電源ラインを構成する帯板状の導電板Ｌ１と、情報信号の伝送のための情報ラインを構成する帯板状の導電板Ｌ２とが、左右方向に沿って係止溝２の略全体に亘って配設されており、これら導電板Ｌ１，Ｌ２は、それぞれ、壁の裏側に先行配線された電力線および情報線（図示せず）に電気的に接続されている。また導電板Ｌ１，Ｌ２の左右方向の両端部には、隣接する腰板パネル１に設けた導電板Ｌ１，Ｌ２にそれぞれ電気的に接続するための接続コネクタを設けてあり、複数の腰板パネル１を並設すると、各々の腰板パネル１に設けた導電板Ｌ１，Ｌ２がそれぞれ接続コネクタを介して電気的に接続されるのである。
【００３６】
機能モジュールＢは、図１及び図２に示すように腰板パネル１に取着される造作部材３ａ，３ｂとは別体に形成されたモジュール本体（機能モジュール本体）４を有しており、モジュール本体４は、機能部１６（例えば電源コンセント１０ａおよび情報コンセント１０ｂ）が前面に設けられた直方体状の本体部４ａと、本体部４ａの背部より下方に突出して、腰板パネル１の係止溝２に引掛係止される突出部４ｂ（係止手段）とを一体に設けてある。そして、係止溝２の内側面に対向配置される突出部４ｂの前面部には、係止溝２の内側面に設けた導電板Ｌ１に接続される一対の電源接続端子５ａと、導電板Ｌ２に電気的に接続される一対の情報接続端子５ｂとが配設されている。
【００３７】
次に、機能モジュールＢの回路構成について図４（ａ）の回路図を参照して説明する。機能モジュールＢは、電源接続端子５ａを介して導電板Ｌ１に接続され、導電板Ｌ１を介して供給される商用電源を負荷に供給する電源コンセント１０ａと、導電板Ｌ１を介して供給される商用電源を整流、平滑することにより、所定電圧値の直流電圧からなる内部回路の動作電源＋Ｖを得るＡＣ／ＤＣコンバータ部１２と、情報接続端子５ｂを介して接続される導電板Ｌ２を通じて情報信号を送受信する送受信部１３と、例えば情報コンセント１０ｂに接続される通信機器との間で情報信号を授受する機能を有する機能部１６と、送受信部１３が受信した情報信号を取り込んで機能部１６に対応したデータ信号を生成しＩ／Ｏインターフェース１５を通じて機能部１６に伝送する機能や、機能部１６から送られてくるデータ信号をＩ／Ｏインタフェース１５を通じて取り込み、送信先へ情報信号として送信させるための処理を行う演算処理部１４とを備えており、機能モジュールＢの種別に応じて機能部１６の構成が異なるのである。ここで、本システムでは機能部１６が情報コンセント１０ｂに接続される通信機器との間で情報信号を授受する機能を備えており、図４（ｂ）に示すように、演算処理部１４からＩ／Ｏインタフェース１５を介して入力される情報信号をメディアコンバートして情報コンセント１０ｂに出力するとともに、情報コンセント１０ｂから入力される情報信号をメディアコンバートし、Ｉ／Ｏインタフェース１５を介して演算処理部１４に出力するＣＰＵ１６ａから機能部１６を構成している。
【００３８】
なお機能モジュールＢの機能部１６を電源コンセント１０ａや情報コンセント１０ｂに限定する趣旨のものではなく、例えば図４（ｃ）に示すように検知領域内の人体から放射される熱線を検出するＰＩＲセンサ１６ｂと、ＰＩＲセンサ１６ｂの検出信号を信号処理することによって人の存否を検出する人体検知回路１６ｃと、人体検知回路１６ｃから入力される人体検知信号を、Ｉ／Ｏインタフェース１５を介して演算処理部１４に出力するＣＰＵ部１６ａとで構成される人体検知器型の機能部１６を備えても良いし、明るさセンサや温湿度センサなどの各種のセンサ機能を有する機能部１６や、非常灯ＬＰと情報信号に含まれる制御信号に基づいて非常灯ＬＰの点灯／消灯を制御する点灯制御部とを備え、複数の非常灯を順番に点灯させることで誘導灯として動作させる非常灯型の機能部１６などを備えても良い（図３参照）。また機能部１６がモジュール本体４に着脱自在に取着され、この機能部１６に充電池とランプとを設け、取付状態において通電時は内蔵する充電池を充電すると共に情報信号に含まれる制御信号に応じてランプを点灯又は消灯させ、停電発生時は充電池から電力供給を受けてランプを点灯又は消灯させ、機能部１６をモジュール本体４から取り外すことで懐中電灯として機能させるような非常灯型の機能部を設けても良い。
【００３９】
本配線システムを構成する腰板モジュールＡおよび機能モジュールＢは上記のような構成を有しており、各モジュールＡ，Ｂを配設するに当たっては、図３（ａ）に示すように先ず壁１０１ａ，１０１ｂの室内側表面に腰板パネル１を並設して、各腰板モジュールＡの導電板Ｌ１，Ｌ２を壁の内側に先行配線された電力線および情報線にそれぞれ接続する。次に腰板パネル１の上側縁に設けた係止溝２に突出部４ｂを挿入して、係止溝２と突出部４ｂとを引掛係止させることで、機能モジュールＢのモジュール本体４を腰板パネル１に取り付けると、機能モジュールＢの各接続端子５ａ，５ｂが係止溝２の内側面に設けた導電板Ｌ１，Ｌ２に電気的に接続され、機能モジュールＢが腰板モジュールＡを介して電力の供給を受けるとともに、情報信号の授受を行えるのである。なお、導電板Ｌ２により構成される情報ラインは、複数種の機器に用いられる情報信号の信号伝送を行うものであり、例えば電話、ＬＡＮなどのネットワーク機器、ＴＶ、インターホン、各種センサなどに用いられる情報信号や、照明器具などの機器を制御するための制御信号の信号伝送に用いられる。したがって、腰板モジュールＡを介して機能モジュールＢに複数種類の情報信号を伝達することができるから、機能モジュールＢでは必要な情報信号を授受することで所定の機能を実現でき、したがって機能モジュールＢに多種多様な機能を持つモジュールを使用でき、多機能なシステムを実現することができる。
【００４０】
ここで、本配線システムでは機能モジュールＢのモジュール本体４が造作部材とは別体に形成されているので、図３に示すように機能モジュールＢを腰板モジュールＡの所望の位置に自由に取り付けることができるから、取付位置の自由度が向上し、また取付位置の変更にも容易に対応できる。なお腰板パネル１に設けた係止溝２において、機能モジュールＢが取り付けられていない部位には目隠し蓋６を取り付けてあり、係止溝２の内側面に設けた導電板Ｌ１，Ｌ２を目隠し蓋６で覆っているので、感電の虞は無い。
【００４１】
また図１（ａ）に示すように、機能モジュールＢのモジュール本体４を、モジュール本体４と同様の係止手段を具備して腰板パネル１の係止溝２に引掛係止される造作部材３ａ，３ｂと組み合わせることで、機能モジュールＢと造作部材３ａ，３ｂとにより腰見切り縁７を形成しても良く、室内の美観を向上させることができる。
【００４２】
ところで、上述の配線システムは図５に示す配線システムの一部を構成するものである。この配線システムでは、建物内の適所において１乃至複数のスイッチボックス９０を埋込配設してあり、始端のスイッチボックス９０に対しては、屋外より配線盤７０内に引き込まれ主幹ブレーカＭＢおよび分岐ブレーカＢＢを介して屋内に引き込まれた電力線Ｌａと、外部のインターネット網ＮＴにゲートウェイＧＷ（ルータ、ハブ内蔵）を介して接続される情報線Ｌｂとを導入する。また各スイッチボックス９０の間は壁面内に先行配線された電力線Ｌａと情報線Ｌｂとを送り配線してある。
【００４３】
ここで、スイッチボックス９０は、例えばＪＩＳで規格化された大角形の１個モジュール寸法の埋込型の配線器具を３個取り付けることができる１連の取付枠（図示せず）に対応して規格化されたもので、図５に示すように配線盤７０又は他のスイッチボックス９０から送り配線されてくる電力線Ｌａ及び情報線Ｌｂを外部から導入するとともに、他のスイッチボックス９０へ送り配線するための電力線Ｌａ及び情報線Ｌｂを外部へ導出している。なお、スイッチボックス９０には、図５に示すように室内の天井１００に設けられるものと、壁１０１に設けられるものと、床１０２に設けられるものとがある。
【００４４】
そして、各スイッチボックス９０の内部には、電力線Ｌａを外部の電路に接続するための電力路接続口９２と、情報線Ｌｂを外部の情報路に接続するための情報路接続口９３とを備えたゲート装置９１が取付枠（図示せず）を用いて埋込配設されており、このゲート装置９１に対して各種の機能を有する機能モジュール５０ａ〜５０ｅを接続すると、ゲート装置９１を介して機能モジュール５０ａ〜５０ｅが電力線Ｌａおよび情報線Ｌｂに接続され、電力線Ｌａから電力の供給を受けるとともに、情報線Ｌｂを通じて情報信号の授受を行えるようになっている。ここで、天井１００に設けたゲート装置９１に接続する機能モジュール５０としては、照明器具の引掛プラグに対応した引掛栓刃接続部９４を持つ引掛シーリングローゼット型の機能モジュール５０ａや、ＢＧＭ等のスピーカＳＰを持つ機能モジュール５０ｂ等がある。また壁１０１に設けたゲート装置９１に接続する機能モジュール５０としては、照明器具などをオン／オフ操作するスイッチＳＷを備えた機能モジュール５０ｃや、空調機器のコントローラ等の操作器型機能モジュール（図示せず）、モニタ装置Ｍを備えた機能モジュール５０ｄ等がある。さらに床１０２に設けたゲート装置９１に接続する機能モジュール５０としては、電源プラグ用のコンセント部９５を備えた機能モジュール５０ｅや、スピーカＳＰを備えた機能モジュール５０ｂ等がある。
【００４５】
なお本配線システムでは、腰板パネル１の上側縁に係止溝２を形成して、この係止溝２に機能モジュールＢの係止手段を引掛係止することで、機能モジュールＢを腰板パネル１に取り付けているが、腰板モジュールＡの代わりに壁の下側部に取着される配線モジュールを用い、この配線モジュールの上側縁に設けた係止溝に機能モジュールＢの係止手段を引掛係止することで、機能モジュールＢを配線モジュールに取り付け、この機能モジュールＢと他の造作部材とで幅木を構成するようにしても良い。
【００４６】
ところで、本実施形態では腰板パネル１の上側縁に係止溝２を形成するとともに、係止溝２の内側面に各一対の導電板Ｌ１，Ｌ２を左右方向の全体に亘って形成しているが、図１８に示すように導電板Ｌ１，Ｌ１間、導電板Ｌ２，Ｌ２間、及び隣接する導電板Ｌ１，Ｌ２の間にそれぞれ凹溝２ａを設け、各凹溝２ａ内に絶縁板２ｂを進退自在に配置するとともに、機能モジュールＢの突出部４ｂに絶縁板２ｂが嵌合する嵌合溝４ｅを左右方向の全体に亘って形成しても良い。絶縁板２ｂは図示しない付勢ばねにより外側方向に付勢されており、機能モジュールＢの突出部４ｂを腰板パネル１の係止溝２に上側から挿入すると、突出部４ｂに押されて絶縁板２ｂが後退し、突出部４ｂを正規の位置まで挿入した状態では各嵌合溝４ｅに対応する絶縁板２ｂが嵌合するようになっており、これらの絶縁板２ｂにより隣接する導電板Ｌ１，Ｌ１間、Ｌ１，Ｌ２間、Ｌ２，Ｌ２間の絶縁性を向上させることができる。尚、腰板パネル１の左右両側端には終端カバー（図示せず）を着脱できるようになっており、機能モジュールＢの着脱作業を終えた後に腰板パネル１の端部に終端カバーを取り付けることで、充電部を覆うとともに、外観の見栄えを良くできる。
【００４７】
また係止溝２は左右方向の両側が開放されているので、嵌合溝４ｅと絶縁板２ｂの位置を合わせた状態で機能モジュールＢを側方から係止溝２内に挿入することで、機能モジュールＢを腰板パネル１に取り付けても良い。ここで、機能モジュールＢの取付方法が、側方から係止溝２内に挿入する方法（スライド取付と言う）に限定される場合には、係止溝２の内側面に配置された絶縁板２ｂは必ずしも進退自在に配置され、外側に向かってばね付勢されていなくても良く、係止溝２内に固定されていても良い。
【００４８】
ところで、電源ラインを構成する導電板Ｌ１は例えば商用交流電源を供給するためのものであり、法律上の制約から導電板Ｌ１を露出した状態で配線することはできないが、本配線システムによれば、配線モジュールを構成する腰板パネル１の係止溝２に機能モジュールＢや造作部材３ａ，３ｂの係止手段を引掛係止することによって、機能モジュールＢや造作部材３ａ，３ｂを配線モジュールに取り付けており、取付完了状態においては導電板Ｌ１，Ｌ２が機能モジュールＢや造作部材３ａ，３ｂによって覆われ、係止溝２内に手を入れることができないので、導電板Ｌ１，Ｌ２に手が触れて、感電などが起こるのを確実に防止することができる。
【００４９】
（変形例１）
本発明の変形例１を図６に基づいて説明する。基本構成で説明した配線システムでは、腰板モジュールＡに電源ラインを構成する一対の導電板Ｌ１と、情報ラインを構成する一対の導電板Ｌ２とを設けているが、本配線システムでは腰板モジュールＡに電源ラインを構成する導電板Ｌ１のみを設け、電源ラインを通じて電力線搬送通信により情報信号を伝送しており、情報ラインを構成する導電板Ｌ２を無くすことで、導電板の本数を減らすことができ、また情報線を先行配線する必要がないので、配線施工を簡略化することができる。尚、電力線搬送通信により情報信号を伝送する点以外は基本構成で説明した配線システムと同様であるので、共通する構成要素には同一の符号を付して、その説明は省略する。
【００５０】
本配線システムでは腰板モジュールＡにおいて、係止溝２の内側面に設けた導電板Ｌ２を無くして、電源ラインを構成する導電板Ｌ１のみを設けるとともに、機能モジュールＢにおいて情報接続端子５ｂを無くして、導電板Ｌ１に対応する部位に電源接続端子５ａのみを設けてある。そして機能モジュールＢの内部回路を、図６に示すように、電源接続端子５ａを介して導電板Ｌ１に接続され、導電板Ｌ１を介して供給される商用電源を整流、平滑することにより、所定電圧値の直流電圧からなる内部回路の動作電源＋Ｖを得るＡＣ／ＤＣコンバータ部１２と、導電板Ｌ１を通じて電力線搬送通信により情報信号を授受するＰＬＣモデム（電力線搬送通信手段）１７と、ＰＬＣモデム１７と演算処理部１４との間で情報信号の受け渡しを行う送受信部１３と、機能モジュールＢの種別に対応した機能を有する機能部１６と、送受信部１３が受信した情報信号を取り込んで機能部１６に対応したデータ信号を生成しＩ／Ｏインターフェース１５を通じて機能部１６に伝送する機能や、機能部１６から送られてくるデータ信号をＩ／Ｏインタフェース１５を通じて取り込み、送信先へ情報信号として送信させるための処理を行う演算処理部１４とで構成している。
【００５１】
このように機能モジュールＢにＰＬＣモデム１７を設けて、機能モジュールＢが電力線搬送通信により情報信号を授受しているので、腰板モジュールＡに情報ラインを構成する導電板を設ける必要が無くなり、導電板の本数を減らすことができ、また情報線を先行配線する必要がないので、配線施工を簡略化することができる。
【００５２】
尚、ＰＬＣモデム１７で採用する電力線搬送の変調方式としては広帯域スペクトラム拡散方式、マルチキャリア方式、ＯＦＤＭ方式等各種方式の何れでも良いので、ここでは特に説明はしない。
【００５３】
なお電源ラインを構成する導電板Ｌ１は例えば商用交流電源を供給するためのものであり、法律上の制約から導電板Ｌ１を露出した状態で配線することはできないが、本配線システムにおいても基本構成で説明した配線システムと同様、配線モジュール（例えば腰板パネル１）の係止溝２に機能モジュールＢや造作部材３ａ，３ｂの係止手段を引掛係止することによって、機能モジュールＢや造作部材３ａ，３ｂを配線モジュールに取り付けており、取付完了状態においては導電板Ｌ１が機能モジュールＢや造作部材３ａ，３ｂによって覆われ、係止溝２内に手を入れることができないので、導電板Ｌ１に手が触れて、感電などが起こるのを確実に防止することができる。
【００５４】
（変形例２）
本発明の変形例２を図７に基づいて説明する。基本構成で説明した配線システムでは機能モジュールＢのモジュール本体４を造作部材とは別体に形成しているのに対して、本配線システムの機能モジュールＢでは、図７に示すように腰板パネル１に取着される腰見切り縁からなるモジュール本体４’を用いている。なおモジュール本体４’以外の構成は基本構成で説明した配線システムと同様であるので、共通する構成要素には同一の符号を付して、その説明は省略する。
【００５５】
上述のように本配線システムでは機能モジュールＢのモジュール本体４’自体が腰見切り縁で構成されているので、このモジュール本体４’を腰板パネル１の上側縁に設けた係止溝２に引掛係止させるとともに、他の造作部材３をモジュール本体４’と同様の係止手段により腰板パネル１の上側縁に取り付けることで、機能モジュールＢと他の造作部材３とにより腰見切り縁７が構成され、室内の美観を向上させることができる。なお図７に示す機能モジュールＢは人体検知器型の機能部１６を有しており、モジュール本体４’の正面に透光性のカバー２０を設け、このカバー２０の内側にＰＩＲセンサ（図示せず）を収納してある。
【００５６】
なお本配線システムではモジュール本体４’を腰見切り縁で構成しているが、腰板モジュールＡの代わりに壁の下側部に取着される配線モジュールを用いるともに、幅木からなるモジュール本体４’を用い、配線モジュールの上側縁に設けた係止溝にモジュール本体４’を引掛係止させて取り付けることで、この機能モジュールＢと他の造作部材とから幅木を構成するようにしても良い。
【００５７】
また電源ラインを構成する導電板Ｌ１は例えば商用交流電源を供給するためのものであり、法律上の制約から導電板Ｌ１を露出した状態で配線することはできないが、本配線システムにおいても基本構成で説明した配線システムと同様、配線モジュール（例えば腰板パネル１）の係止溝２に機能モジュールＢの係止手段を引掛係止することによって、機能モジュールＢを配線モジュールに取り付けており、取付完了状態においては導電板Ｌ１，Ｌ２が機能モジュールＢによって覆われ、係止溝２内に手を入れることができないので、導電板Ｌ１，Ｌ２に手が触れて、感電などが起こるのを確実に防止することができる。
【００５８】
（実施形態１）
本発明の実施形態１を図８〜図１５に基づいて説明する。上述の変形例２では、モジュール本体４’に機能部１６を設けているのに対して、本実施形態では図８に示すように、モジュール本体４’の本体部４ａ前面に開口４ｃを形成し、この開口４ｃに臨ませてモジュール本体４’内にゲート装置Ｃを収納してある。そして、このゲート装置Ｃの前面側に図１１及び図１２に示す基本機能モジュールＤを接続することで、ゲート装置Ｃを介して基本機能モジュールＤに電力の供給と情報信号の授受とを行うようになっている。また基本機能モジュールＤに並べて拡張機能モジュールＥを連設することにより、基本機能モジュールＤを介して拡張機能モジュールＥが電力供給と情報信号の授受とを行うようになっている。
【００５９】
ゲート装置Ｃは、図８及び図１０に示すように、電源接続端子５ａに電気的に接続された接触部を備えた電力路接続口８Ａと、情報接続端子５ｂに電気的に接続された接触部を備えた情報路接続口８Ｂとを有してモジュール化した接続口を、ボディ８の前面部に備えている。これら接続口８Ａ，８Ｂは両者間の間隔及び内部の接触部の配列、開口部の形状等がシステムとして規格化されている。基本機能モジュールＤは、ゲート装置Ｃのボディ８前面部を覆うようにしてモジュール本体４’の開口４ｃに取り付けられており、その背面部に設けたコネクタ９の被接続部９Ａ、９Ｂが各接続口８Ａ，８Ｂに着脱自在に結合されるようになっている。
【００６０】
基本機能モジュールＤは、図１１及び図１２（ａ）に示す合成樹脂製で扁平なモジュール本体４０内に図１０に示す回路を内蔵しているもので、背面部のコネクタ９の被接続部９Ａ，９Ｂをゲート装置Ｃの接続口８Ａ，８Ｂに結合させることで、モジュール本体４’の開口４ｃを覆うとともに、周部のフランジをモジュール本体４’の開口４ｃ周辺の壁面に重ねた状態となり、その状態で上、下部の中央に穿孔している取付孔８０に取り付けねじ（図示せず）を前面部側から挿通させてモジュール本体４’に設けたねじ孔４ｄに螺入締結することでモジュール本体４’に取着される。
【００６１】
またモジュール本体４０の前面部には、上、下の取付孔８０の開口位置より上又は下側位置において、図１２（ａ）に示すようにモジュール本体４０の幅方向に幅広溝８１ａと幅狭溝８１ｂとからなる連結用溝部８１を中央の仕切壁８２で左右に二分されるように形成している。
【００６２】
この仕切壁８２の左側又は右側の連結用溝部８１には図９に示す合成樹脂製の連結体４２の片側半分を仕切壁８２に当たる位置まで嵌め込み、この連結体４２の残り半分を図９に示すように拡張機能モジュールＥ側に同様に設けてある連結用溝部８１に嵌め込むことで、基本機能モジュールＤと拡張機能モジュールＥとを機械的に結合できるようになっている。連結体４２は背面に幅広溝８１ａ，幅狭溝８１ｂを仕切る仕切壁８１ｃが嵌る溝４２ａを設け、両溝８１ａ、８１ｂに跨るように挿入される。そして基本機能モジュールＤでは前面部側から化粧カバー４１を着脱自在に被着することで、また拡張機能モジュールＥでは蓋部８３を閉じることで、両者の連結用溝部８１に跨るように嵌め込んである連結体４２が脱落しないように保持して連結状態を維持するようになっている。而して連結体４２と連結用溝部８１とが基本機能モジュールＤと拡張機能モジュールＥとの連結手段を構成する。
【００６３】
基本機能モジュールＤは、図１０に示すように、被接続部９Ａを介して接続される商用電源ＡＣを所定電圧に降下させるとともに周波数を高くし、この高い周波数に変換した低圧交流電源をコア２１に巻装したコイル２２に印加するＡＣ／ＡＣコンバータ２３と、低圧交流電源を整流平滑後、安定した直流電圧からなる内部回路の動作電源＋Ｖを得る直流電源部２４と、被接続部９Ｂを介して接続される導電板Ｌ２を通じて双方向に伝送される情報信号を送受信部２５と、導電板Ｌ２を介して受信される情報信号をＥ／Ｏ変換して発光素子ＬＥＤを通じて送出するするＥ／Ｏ変換部２６と、後述する拡張機能モジュールＥ側から送られくる光信号からなる情報信号を受光素子ＰＤで受光してＯ／Ｅ変換して送受信部２５に渡すＯ／Ｅ変換部２７とを備えている。
【００６４】
コイル２２及びコア２１は基本機能モジュールＤと連結する拡張機能モジュールＥに電力を非接触で供給するための給電手段を構成するトランスの一次側となる電磁結合部を構成するもので、連結する拡張機能モジュールＥ（図１３参照）側に設けたコイル２２’を巻回したコア２１’にコア２１が磁気結合してトランス作用によりコイル２２’側に低圧交流電源電圧を誘起させて電源供給を行うようになっている。ここでＡＣ／ＡＣコンバータ２３により商用周波数よりも周波数が高い交流電源に変換することで、電磁結合部によるトランス構成の小型化を図っている。
【００６５】
一方Ｅ／Ｏ変換部２６の発光素子ＬＥＤは隣接する拡張機能モジュールＥに情報信号を光信号により非接触で伝達するためのもので、連結された拡張機能モジュールＥ側のＯ／Ｅ変換部２７’に設けた受光素子ＰＤに対置される。またＯ／Ｅ変換部２７の受光素子ＰＤは隣接する拡張機能モジュールＥから光信号により伝達されてくる情報信号を受け取るためのもので、連接する拡張機能モジュールＥ側のＥ／Ｏ変換部２６’の発光素子ＬＥＤに対置される。
【００６６】
そしてコア２１とコイル２２とからなる電磁結合部は図１０では１組しか示していないが実際には電気的に並列な２組備え、またＥ／Ｏ変換部２６の発光素子ＬＥＤ、Ｏ／Ｅ変換部２７の受光素子ＰＤも夫々に別の発光素子ＬＥＤ、受光素子ＰＤを接続しており、モジュール本体４０の両側において側壁に近接する内部位置に夫々１組ずつ夫々配置している。
【００６７】
ここで発光素子ＬＥＤの発光部及び受光素子ＰＤの受光部が対向するモジュール本体４０の側壁部位は光信号が透過可能なように透明部Ｙとしてある。尚モジュール本体４０の両側では、発光素子ＬＥＤと、受光素子ＰＤの位置が上、下で逆になるように配置され、例えば右側では発光素子ＬＥＤを上、受光素子ＰＤを下とし、左側では発光素子ＬＥＤを下、受光素子ＰＤを上としてある。そして電磁結合部を構成するコア２１の先端部の配置位置と、発光素子ＬＥＤ及び受光素子ＰＤの配置位置の上下間隔は規格化している。尚図１０ではゲート装置Ｃの両接続口８Ａ，８Ｂ及び基本機能モジュールＤのコネクタ９の被接続部９Ａ，９Ｂを縦方向で示しているが、実際は横方向になっている。
【００６８】
この配線システムでは、電力供給を受けて動作する機能によって複数の種類の拡張機能モジュールＥが準備されているが、基本的には図１４（ａ）に示すようにモジュール本体４３の高さ寸法を基本機能モジュールＤと同じ高さ寸法に規格化され、また横幅寸法も基本機能モジュールＤの幅寸法の整数倍に規格化され、またモジュール本体４３の両側面の形状は基本機能モジュールＤの側面と同形状とし、また背面を図９（ｂ）、（ｃ）に示すように平坦な面に形成してモジュール本体４’の前面に沿わせることができるようにしている。そして上下位置には上述の連結体４２を基本機能モジュールＤと同様に挿入するための幅広溝８１ａ、幅狭溝８１ｂからなる連結用溝部８１を設けるとともに、この連結用溝部８１を開閉する蓋部８３を設け、連結体４２を装着する際や外す場合にはこの蓋部８３を開き、連結体４２の装着状態を保持する際には上述したように閉じるようになっている（図１４（ｃ）参照）。
【００６９】
モジュール本体４３内には、図１３に示すように上述のコイル２２’、コア２１’からなる電磁結合部を２組備えて、モジュール本体４３の両側壁に近接する内部に配置するとともに、夫々のコイル２２’同士を電気的に接続し、片側の電磁結合部が隣接する基本機能モジュールＤ又は拡張機能モジュールＥの電磁結合部と電磁結合して電力を受け取る側（二次側）となると、他方の電磁結合部が電力供給側（一次側）となるようになっている。これらの電磁結合部を構成するコア２１’の先端が近接配置されるモジュール本体４３の側面位置が磁気結合部Ｘとなる。また両電磁結合部のコイル２２’，２２’間を接続する線路には直流電源部２４’を接続し、内部回路の動作電源＋Ｖを得るようになっている。
【００７０】
更に情報信号を授受するために、モジュール本体４３内には連結する基本機能モジュールＤ又は拡張機能モジュールＥから送られてくる光信号からなる情報信号を受光素子ＰＤで受光して電気的な信号に変換するＯ／Ｅ変換部２７’と、電気信号からなる情報信号を隣接する基本機能モジュールＤ又は拡張機能モジュールＥへ光信号からなる情報信号として発光素子ＬＥＤで送り出すためのＥ／Ｏ変換部２６’と、Ｏ／Ｅ変換部２７’からの電気信号からなる情報信号を受け取るとともに、電気信号からなる情報信号をＥ／Ｏ変換部２６’へ送り出す情報信号送受信部２８とからなる情報信号送受信手段を二組設け、一方の発光素子ＬＥＤと受光素子ＰＤをモジュール本体４３の左側側壁近傍の内部に、また他方の伝送処理部の発光素子ＬＥＤと受光素子ＰＤをモジュール本体４３の右側側壁近傍の内部に配置してある。ここで左側に配置される発光素子ＬＥＤの位置は受光素子ＰＤの下側に、また右側に配置される発光素子ＬＥＤの位置は受光素子ＰＤの上側に夫々を配置し、左側に連結される基本機能モジュールＤ又は拡張機能モジュールＥの右側に配置されている発光素子ＬＥＤ、受光素子ＰＤに、左側配置した受光素子ＰＤ、発光素子ＬＥＤが夫々対向し、また右側に連結される基本機能モジュールＤ又は拡張機能モジュールＥの左側に配置されている発光素子ＬＥＤ、受光素子ＰＤに右側配置した受光素子ＰＤ、発光素子ＬＥＤが夫々対向するようになっている。そして発光素子ＬＥＤ、受光素子ＰＤが対向しているモジュール本体４３の側壁は光信号が透過できるように基本機能モジュールＤと同様に透明部Ｙとなっている。
【００７１】
そして両側の情報信号送受信部２８，２８間をモジュール本体４３内において、双方向の信号ライン２９で接続して、両側に隣接する基本機能モジュールＤ又は拡張機能モジュールＥに対して情報信号を中継できるようになっている。
【００７２】
またモジュール本体４３内には、信号ライン２９上の情報信号を受信するとともに、信号ライン２９上に情報信号を送出する送受信部２５’と、この送受信部２５’で受信される情報信号からデータを取り込んで処理を行うとともに、当該拡張機能モジュールＥから他の拡張機能モジュールＥ宛にデータを送る場合のデータ生成処理を行う演算処理部３０と、Ｉ／Ｏインターフェース３１を介して演算処理部３０との間でデータの授受を行って動作する機能部３２とから構成され、これら各部は動作電源＋Ｖをの直流電源部２４’から供給されるのである。この機能部３２の構成が拡張機能モジュールＥによって異なるのである。
【００７３】
ここで拡張機能モジュールＥのモジュール本体４３の側面に磁気結合部Ｘ及び透明部Ｙが形成される位置は、図１１で示す基本機能モジュールＤの側面の磁気結合部Ｘ及び透明部Ｙの位置と合うように規格化され、拡張機能モジュールＥ、Ｅ同士を連結させたとき或いは基本機能モジュールＤと拡張機能モジュールＥとを連結させてときに面接する側面側の磁気結合部Ｘ、Ｘ同士及び、透明部Ｙ，Ｙ同士が夫々対向するようになっている。つまり夫々の給電手段の接続口同士、情報信号の伝達手段の接続口同士が接続された状態となる。
【００７４】
而して、上記の各機能モジュールＤ，Ｅを使用するに当たっては、まず、モジュール本体４’を腰板パネル１に取り付ける。ここで、電源ラインを構成する導電板Ｌ１は例えば商用交流電源を供給するためのものであり、法律上の制約から導電板Ｌ１を露出した状態で配線することはできないが、本実施形態においても基本構成で説明した配線システムと同様、配線モジュールの係止溝２にモジュール本体４’の突出部４ｂを引掛係止することによって、モジュール本体４’を配線モジュールに取り付けており、取付完了状態においては導電板Ｌ１，Ｌ２がモジュール本体４’によって覆われ、係止溝２内に手を入れることができないので、導電板Ｌ１，Ｌ２に手が触れて、感電などが起こるのを確実に防止することができる。
【００７５】
その後、モジュール本体４’に収納されたゲート装置Ｃの各接続口８Ａ，８Ｂに対して基本機能モジュールＤのコネクタ９の対応する被接続部９Ａ，９Ｂを接続するとともに、基本機能モジュールＤをゲート装置Ｃの前面部を覆うようにしてモジュール本体４’に取り付ける。なお基本機能モジュールＤは、モジュール本体４’に取り付けた状態において両側面がモジュール本体４’の前面側に露出することになる。
【００７６】
そして、拡張機能モジュールＥは基本機能モジュールＤの露出した両側側面の一方に片側の側面を面接させ、この状態で連結体４２を用いて拡張機能モジュールＥと基本機能モジュールＤとを機械的に連結する。このとき拡張機能モジュールＥの背面はモジュール本体４’の前面に沿うことになり、拡張機能モジュールＥの前面部から操作力等が加わっても連結部位に加わる荷重を軽減することができる。
【００７７】
更に先に連結した拡張機能モジュールＥに別の拡張機能モジュールＥを連結する場合には、対向側面を面接させた状態で連結体４２により互いに機械的に連結する。このようにして順次拡張機能モジュールＥを側方に連結することができる。
【００７８】
尚、基本機能モジュールＤは両側に拡張機能モジュールＥを連結することができるため、基本機能モジュールＤの両側方向に拡張機能モジュールＥを連結しても良い。このようにして拡張機能モジュールＥを連結した後、両端に位置する拡張機能モジュールＥ又は基本機能モジュールＤの反連結部位の側部に着脱自在にエンドカバー４５を被着することで、拡張機能モジュールＥの連結施工が完了することになる（図１５参照）。尚基本機能モジュールＤに拡張機能モジュールＥを連結しない状態、つまり未使用のまま置いておく場合にはエンドカバー４５を基本機能モジュールＤの両側部に被着する。
【００７９】
上述のように拡張機能モジュールＥを連結した基本機能モジュールＤからはＡＣ／ＡＣコンバータ２３によって商用電源ＡＣを所定電圧に降圧し且つ周波数を高い周波数に変換した低圧交流電源を隣接する拡張機能モジュールＥに磁気結合によって非接触で電力を供給されることになる。また電力が供給された拡張機能モジュールＥに更に拡張機能モジュールＥが連結されている場合には、内部回路を経て磁気結合による非接触で電力を更に供給する。このようにして基本機能モジュールＤ側から最外端に存在する拡張機能モジュールＥまで低圧交流電源を非接触で供給する電力路が構築されることになる。
【００８０】
また基本機能モジュールＤ、拡張機能モジュールＥにおいて、情報信号をＥ／Ｏ変換を経て送り出し、情報信号をＯ／Ｅ変換を経て取り込むことで、連結した基本機能モジュールＤと拡張機能モジュールＥとの間、更に拡張機能モジュールＥ，Ｅ間は、光信号からなる情報信号を発光素子ＬＥＤ、受光素子ＰＤを用いて非接触で双方向に伝送することができる情報路が構築されることになる。なお基本機能モジュールＤに連結できる拡張機能モジュールＥの数は連結部位に加わる荷重の大きさにより制限があり、また基本機能モジュールＤのＡＣ／ＡＣコンバータ２３の電力供給能力によっても制限される。
【００８１】
ここで、図１５は本実施形態の使用例を示しており、基本機能モジュールＤに対して、空調機器の運転操作器を構成する拡張機能モジュールＥ１と、温度設定器を構成する拡張機能モジュールＥ２と、インターホンの親機を構成する拡張機能モジュールＥ３とを接続してある。
【００８２】
なお本実施形態で説明したゲート装置Ｃを、基本構成や変形例１，２で説明した機能モジュールＢのモジュール本体４，４’に内蔵させ、ゲート装置Ｃに対して基本機能モジュールＤを取り付けるとともに、基本機能モジュールＤと並べてモジュール本体４，４’の表面に１乃至複数の拡張機能モジュールＥを配置しても良く、上述と同様に各機能モジュールＤ，Ｅに所望の機能を有するものを使用することで、所望のシステムを実現することができる。
【００８３】
ところで、上述した各配線システムでは、配線モジュールの配線モジュール本体を腰板パネル１で構成しているが、配線モジュール本体は腰板パネル１に限定される趣旨のものではなく、例えば図１６（ａ）に示すように壁１０１ａ，１０１ｂの上下方向中間部において水平方向と略平行に配設される長尺のレール部材６０により配線モジュール本体を構成しても良い。レール部材６０は、腰板モジュールＡと同様に、上部の背面側に係止溝６１を設けてあり、この係止溝６１の内側面に電源ラインを構成する導電板Ｌ１と情報ラインを構成する導電板Ｌ２とを配設してある。而して、レール部材６０の係止溝６１に、上述の各配線システムで説明した造作部材とは別体に形成されたモジュール本体４を具備した機能モジュールＢ１や、腰見切り縁からなるモジュール本体４’を具備した機能モジュールＢ２を取り付けると、機能モジュールＢ１，Ｂ２にレール部材６０を介して電力供給と情報信号の授受とが行われる。なおこの場合に機能モジュールＢ１を他の造作部材（図示せず）と組み合わせることで、腰見切り縁を構成するようにしても良く、室内の美観を向上させることができる。
【００８４】
また、図１６（ｂ）に示すように壁１０１ａ，１０１ｂの下部（すなわち壁１０１ａ，１０１ｂにおける床１０２との境界部分）に配設される長尺のレール部材６２により配線モジュール本体を構成しても良い。このレール部材６２は、腰板モジュールＡと同様に、上部の背面側に係止溝６３を設けてあり、この係止溝６３の内側面に電源ラインを構成する導電板Ｌ１と情報ラインを構成する導電板Ｌ２とを配設してある。而して、レール部材６２の係止溝６３に、上述の各配線システムで説明した造作部材とは別体に形成されたモジュール本体４を具備した機能モジュールＢ１や、腰見切り縁からなるモジュール本体４’を具備した機能モジュールＢ２を取り付けると、機能モジュールＢ１，Ｂ２にレール部材６０を介して電力供給と情報信号の授受とが行われる。なおこの場合に機能モジュールＢ１を他の造作部材（図示せず）と組み合わせることで、幅木を構成するようにしても良く、室内の美観を向上させることができる。
【００８５】
また上述の各配線システムでは、配線モジュール本体の上側縁に係止溝を設けて、この係止溝に機能モジュールの一部を引掛係止させているが、図１９に示すように配線モジュール本体を構成する腰板１Ａの下側縁に係止溝２を形成し、この係止溝２に機能モジュールＢ３の一部（突出部４ｂ）を引掛係止させることで、機能モジュールＢ３を腰板１Ａに着脱自在に取り付けるようにしても良い。
【００８６】
腰板１Ａは壁１０１の上下方向中間部に取着されており、その下側縁には左右方向の全体に亘って係止溝２を設けてある。係止溝２の内側面には、電源ラインを構成する帯板状の導電板Ｌ１と、情報ラインを構成する帯板状の導電板Ｌ２とが、左右方向に沿って係止溝２の略全体に亘って配設されており、これらの導電板Ｌ１，Ｌ２は、それぞれ、壁１０１の裏側に先行配線された電力線および情報線（図示せず）に電気的に接続されている。また導電板Ｌ１，Ｌ２の左右方向の両端部には、隣接する腰板１Ａに設けた導電板Ｌ１，Ｌ２にそれぞれ電気的に接続するための接続コネクタを設けてあり、複数の腰板１Ａを並設すると、各々の腰板１Ａに設けた導電板Ｌ１，Ｌ２がそれぞれ接続コネクタを介して電気的に接続されるようになっている。また係止溝２の内側面には、導電板Ｌ１，Ｌ１間、導電板Ｌ２，Ｌ２間、及び隣接する導電板Ｌ１，Ｌ２の間にそれぞれ凹溝２ａを設けてあり、各凹溝２ａ内に絶縁板２ｂを進退自在に配置してある。ここで、各絶縁板２ｂは図示しない付勢ばねによって外側方向に付勢されている。
【００８７】
一方、腰板１Ａに取着される機能モジュールＢ３は、造作部材とは別体に形成されたモジュール本体（機能モジュール本体）４Ａを有しており、モジュール本体４Ａは、機能部１６（電源コンセント１０ａおよび情報コンセント１０ｂからなる）が前面に設けられた直方体状の本体部４ａと、本体部４ａの背部より上方に突出して、腰板１Ａの係止溝２に引掛係止される突出部４ｂとを一体に設けてある。そして、係止溝２の内側面に対向配置される突出部４ｂの前面部には、係止溝２の内側面に設けた導電板Ｌ１に接続される一対の電源接続端子５ａと、導電板Ｌ２に電気的に接続される一対の情報接続端子５ｂとが配設されている。また突出部４ｂの前面部には、係止溝２の内側面に配設された絶縁板２ｂが係止離脱自在に嵌合する嵌合溝４ｅが形成されている。
【００８８】
この機能モジュールＢ３を腰板１Ａに取り付けるにあたっては、機能モジュールＢ３の突出部４ｂを下側から腰板１Ａの係止溝２内に挿入すると、突出部４ｂに押されて絶縁板２ｂが後退し、突出部４ｂを正規の位置まで挿入した状態では各嵌合溝４ｅに対応する絶縁板２ｂが嵌合するとともに、接続端子５ａ，５ｂが対応する導電板Ｌ１，Ｌ２に電気的に接続されることで取付作業が完了する。ここに、腰板１Ａの絶縁板２ｂと機能モジュールＢ３の嵌合溝４ｅとで取付手段が構成される。
【００８９】
一方、機能モジュールＢ３を取り外す際には、機能モジュールＢ３のモジュール本体４Ａを下側に引っ張ると、嵌合溝４ｅの端面に押されて絶縁板２ｂが凹溝２ａ内に後退し、絶縁板２ｂと凹溝２ａとの係止状態が解除されるので、機能モジュールＢ３を容易に取り外すことができる。尚、腰板１Ａの左右両側端には終端カバー６５を着脱できるようになっており、機能モジュールＢ３の着脱作業を終えた後に腰板１Ａの端部に終端カバー６５を取り付けることで、充電部を覆うとともに、外観の見栄えを良くできる。
【００９０】
また、係止溝２は左右方向の両端側が開放されているので、嵌合溝４ｅと絶縁板２ｂの位置を合わせた状態で、左右何れかの端部から係止溝２内に突出部４ｂを挿入することによって、機能モジュールＢ３を腰板１Ａに取り付けるようにしても良い。なお、モジュール本体４Ａの取付方法が、係止溝２の側方から挿入する方法（スライド取付）のみに限定される場合には、係止溝２の内側面に配置された絶縁板２ｂは必ずしも進退自在に配置され、外側に向かってばね付勢されていなくても良く、係止溝２内に固定されていても良い。
【００９１】
また、図１９では腰板１Ａからなる配線モジュール本体を例に説明を行ったが、図２０に示すように幅木６６からなる配線モジュール本体の下側縁に係止溝６７を設けて、この係止溝６７内に機能モジュールＢ３の一部（突出部４ｂ）を挿入した状態で、機能モジュールＢ３を幅木６６に取り付けるようにしても良い。
【００９２】
幅木６６は、床１０２との間に本体部４ａを取付可能な隙間を開けた状態で壁１０１に取着されており、その下側縁には左右方向の全体に亘って係止溝６７を設けてある。係止溝６７の内側面には、電源ラインを構成する帯板状の導電板Ｌ１と、情報ラインを構成する帯板状の導電板Ｌ２とが、左右方向に沿って係止溝６７の略全体に亘り配設されており、これらの導電板Ｌ１，Ｌ２は、それぞれ、壁１０１の裏側に先行配線された電力線および情報線（図示せず）に電気的に接続されている。また導電板Ｌ１，Ｌ２の左右方向の両端部には、隣接する幅木６６に設けた導電板Ｌ１，Ｌ２にそれぞれ電気的に接続するための接続コネクタ（図示せず）を設けてあり、複数の幅木６６を並設すると、各々の幅木６６に設けた導電板Ｌ１，Ｌ２がそれぞれ接続コネクタを介して電気的に接続されるようになっている。また係止溝６７の内側面には、導電板Ｌ１，Ｌ１間、導電板Ｌ２，Ｌ２間、及び隣接する導電板Ｌ１，Ｌ２の間にそれぞれ凹溝６７ａを設けてあり、各凹溝６７ａ内に絶縁板６７ｂを進退自在に配置してある。ここで、各絶縁板６７ｂは図示しない付勢ばねによって外側方向に付勢されている。
【００９３】
一方、幅木６６に取着される機能モジュールＢ３は、造作部材とは別体に形成されたモジュール本体４Ａを有しており、モジュール本体４Ａは、機能部１６が前面に設けられた直方体状の本体部４ａと、本体部４ａの背部より上方に突出して、幅木６６の係止溝６７に引掛係止される突出部４ｂとを一体に設けてある。そして、係止溝６７の内側面に対向配置される突出部４ｂの前面部には、係止溝６７の内側面に設けた導電板Ｌ１に接続される一対の電源接続端子５ａと、導電板Ｌ２に電気的に接続される一対の情報接続端子５ｂとが配設されている。また突出部４ｂの前面部には、係止溝６７の内側面に配設された絶縁板６７ｂが係止離脱自在に嵌合する嵌合溝４ｅが形成されている。
【００９４】
この機能モジュールＢ３を幅木６６に取り付けるにあたっては、壁１０１に沿ってモジュール本体４Ａをスライド移動させ、左右何れかの端部から係止溝６７内に突出部４ｂを挿入することによって、突出部４ｂと係止溝６７とが係止するとともに、接続端子５ａ，５ｂが対応する導電板Ｌ１，Ｌ２に電気的に接続されるようになっている。一方、機能モジュールＢ３を取り外す際には、モジュール本体４Ａを壁１０１に沿ってスライドさせ、幅木６６の左右何れかの端部から外側にモジュール本体４Ａを移動させることで、機能モジュールＢ３を容易に取り外すことができる。尚、幅木６６の左右両側端には終端カバー６５を着脱できるようになっており、機能モジュールＢ３の着脱後に腰板１Ａの端部に終端カバー６５を取り付けることで、充電部を覆うとともに、外観の見栄えを良くできる。なお機能モジュールＢ３のモジュール本体４Ａを幅木６６に取り付けるに当たっては、モジュール本体４Ａを幅木６６の側方からスライドさせて、突出部４ｂを係止溝６７内に挿入しており、取付方法が側方からのスライド取付に限定される場合には、係止溝６７の内側面に配置された絶縁板６７ｂは必ずしも進退自在に配置され、外側に向かってばね付勢されていなくも良く、係止溝６７内に固定されていても良い。
【００９５】
また上述の各配線システムでは、配線モジュール本体の上下何れかの側縁に係止溝を形成するとともに、この係止溝に係止する突出部を機能モジュールに設け、突出部に電源ラインを構成する導電板Ｌ１と情報ラインを構成する導電板Ｌ２とを配設しているが、図２１（ａ）に示すように配線モジュールとして２つの腰板１，１Ａを上下に配置し、下側の腰板１の上側縁と上側の腰板１Ａの下側縁とにそれぞれ係止溝２Ａ，２Ｂを形成して、一方の係止溝２Ａに電源ラインとなる一対の導電板Ｌ１を幅方向の全体に亘って配設するとともに、他方の係止溝２Ｂに情報ラインとなる一対の導電板Ｌ２を幅方向の全体に亘って配設するようにしても良い。ここで、各係止溝２Ａ，２Ｂには、導電板Ｌ１，Ｌ１間、導電板Ｌ２，Ｌ２間にそれぞれ凹溝２ａを設けてあり、各凹溝２ａ内に絶縁板２ｂを進退自在に配置してある。一方、この配線モジュールに使用される機能モジュールＢ４は、機能部１６（電源コンセント１０ａおよび情報コンセント１０ｂ）が前面に設けられた直方体状の本体部４ａと、本体部４ａの背部より上下両側にそれぞれ突出して、腰板１，１Ａの係止溝２Ａ，２Ｂにそれぞれ挿入される突出部４ｂとで構成されるモジュール本体４Ｂを備えている。各突出部４ｂには、係止溝２Ａ，２Ｂにそれぞれ配設された絶縁板２ｂが嵌合する嵌合溝４ｅを左右方向の全体に亘って形成してあり、下側の突出部４ｂには嵌合溝４ｅを挟んで上下両側に一対の導電板Ｌ１にそれぞれ電気的に接続される接続端子５ａが設けられ、上側の突出部４ｂには嵌合溝４ｅを挟んで上下両側に一対の導電板Ｌ２にそれぞれ電気的に接続される接続端子５ｂを設けてある。
【００９６】
この機能モジュールＢ４を腰板１，１Ａに取り付けるに当たっては、壁１０１に沿ってモジュール本体４Ｂをスライド移動させ、左右何れかの端部から係止溝２Ａ，２Ｂ内に突出部４ｂ，４ｂをそれぞれ挿入すると、突出部４ｂ，４ｂと係止溝２Ａ，２Ｂとが係止するとともに、機能部１６が腰板１，１Ａの隙間から前面側に露出し、各一対の接続端子５ａ，５ｂが対応する導電板Ｌ１，Ｌ２に電気的に接続されるようになっている。一方、機能モジュールＢ４を取り外す際には、モジュール本体４Ｂを壁１０１に沿ってスライドさせ、腰板１，１Ａの左右何れかの端部から外側にモジュール本体４Ｂを移動させることで、機能モジュールＢ４を容易に取り外すことができる。このように機能モジュールＢ４では、機能部１６が前面に設けられた本体部４ａを挟んで両側に突出部４ｂを設け、一方の突出部４ｂに電源ラインに接続される接続端子５ａを、他方の突出部４ｂに情報ラインに接続される接続端子５ｂを配置すると共に、腰板１，１Ａには一方の係止溝２Ａに電源ラインとなる導電板Ｌ１を、他方の係止溝２Ｂに情報ラインとなる導電板Ｌ２を配置しているので、電源ラインと情報ラインとを分離して配置することで、絶縁性を向上させることができる。尚、腰板１，１Ａの左右両側端には終端カバー（図示せず）を着脱できるようになっており、機能モジュールＢ４の着脱後に腰板１，１Ａの端部に終端カバーを取り付けることで、充電部を覆うとともに、外観の見栄えを良くできる。
【００９７】
また、図２１（ｂ）に示すようにモジュール本体４Ｂの本体部４ａの前側部分を略円盤状に形成するとともに、突出部４ｂ，４ｂの角部を丸めることによって、モジュール本体４Ｂを腰板１，１Ａの間に挿入した状態で回転可能に形成すれば、モジュール本体４Ｂを腰板１，１Ａの前面側から取り付けることができる。なお、モジュール本体４Ｂの取付方法が側方からのスライド取付のみに限定される場合には、係止溝２Ａ，２Ｂの内側面に配置された絶縁板２ｂは必ずしも進退自在に配置され、外側に向かってばね付勢されていなくても良く、係止溝２Ａ，２Ｂ内に固定されていても良い。
【００９８】
このモジュール本体４Ｂの取り付けに当たっては、モジュール本体４Ｂの長手方向を左右方向に向けた状態で、腰板１，１Ａの前面側から腰板１，１Ａの間の隙間を通してモジュール本体４Ｂを挿入し、その後モジュール本体４Ｂを９０度回転させると、両突出部４ｂ，４ｂが係止溝２Ａ，２Ｂ内に進入し、各突出部４ｂ，４ｂが係止溝２Ａ，２Ｂと係止することで、モジュール本体４Ｂが腰板１，１Ａに取り付けられる。またモジュール本体４Ｂを正規の位置まで回転させると、係止溝２Ａ，２Ｂ内に進退自在に配置された絶縁板２ｂ，２ｂが嵌合溝４ｅ，４ｅと嵌合するとともに、各一対の接続端子５ａ，５ｂが対応する導電板Ｌ１，Ｌ２に電気的に接続されるので、モジュール本体４Ｂが位置決めされて、接続端子５ａ，５ｂを導電板Ｌ１，Ｌ２に確実に接触させることができる。なお、モジュール本体４Ｂを取り外す際には、取り付け状態からモジュール本体４Ｂを９０度回転させると、突出部４ｂ，４ｂと係止溝２Ａ，２Ｂとの係止が解除され、腰板１，１Ａ間の隙間内に進入するので、この状態でモジュール本体４Ｂを前方に移動させることによって、モジュール本体４Ｂを容易に取り外すことができる。
【００９９】
また、図１７は本発明に係る配線システム利用した誘導照明装置を示し、モジュール本体４’の前面に誘導灯の発光部６４を配置するとともに、情報信号に含まれる制御信号に基づいて誘導灯の点灯状態を制御する点灯制御部をモジュール本体４’の内部に収納した複数の機能モジュールＢ１１，Ｂ１２，Ｂ１３…を用い、これら機能モジュールＢ１１，Ｂ１２，Ｂ１３…の突出部４ｂを図１６（ｂ）で説明したレール部材６０の係止溝６１に引掛係止することによって、各機能モジュールＢ１１，Ｂ１２，Ｂ１３…をレール部材６０に取り付けてある。ここで、情報ラインには各機能モジュールＢ１１…に対して制御信号を送信する制御モジュール（図示せず）が接続されており、通常時は制御モジュールが明るさセンサ（図示せず）や人感センサ（図示せず）の検知信号を監視し、周囲照度が所定のしきい値レベルよりも暗く、且つ、人感センサが人を検知すると、各機能モジュールＢ１１…に点灯制御信号を出力し、各機能モジュールＢ１１…において点灯制御部が誘導灯の発光部６４を点灯させることで、夜間などに通路の照明を確保することができる。また火災などの非常時には、制御モジュールが火災感知器（図示せず）からの発報信号に基づいて各機能モジュールＢ１１…に順番に点滅制御信号を出力し、各機能モジュールＢ１１…が非常電源（図示せず）からの電源供給を受け、所定の順番でサイクリックに点灯制御部が誘導灯の発光部６４を点滅させることで、複数の機能モジュールＢ１１…の光が連なって誘導灯として機能するとともに、点滅する光が走行する方向に人を誘導することができる。なお、この誘導照明装置では制御モジュールが複数の機能モジュールＢ１１…に順番に点滅制御信号を出力し、各機能モジュールＢ１１…の誘導灯を所定の順番でサイクリックに点灯させているが、制御モジュールからの点灯制御信号を受けて各機能モジュールＢ１１…が誘導灯を点灯し続けるようにしても良い。なお、この場合には誘導灯の発光部６４に誘導方向を示す矢印などのマークを表示しておけば良い。
【０１００】
また本装置では火災などの非常時に各機能モジュールＢ１１…の誘導灯を所定の順番でサイクリックに点滅させているが、各機能モジュールＢ１１…に誘導灯の代わりに一般的な照明器具よりも光出力が小さいガイド灯を設けるとともに、周囲の明るさが所定のしきい値よりも暗くなると点灯制御信号を出力する明るさセンサ（図示せず）を設け、明るさセンサが点灯制御信号を出力すると、制御モジュールが各機能モジュールＢ１１…の備えるガイド灯を点灯させる制御信号を含む情報信号を出力し、各機能モジュールＢ１１…が、制御モジュールからの制御信号を受け、センサ（本配線システムでは明るさセンサ）に連動してガイド灯を常時点灯させるようにしても良く、複数の機能モジュールＢ１１…の光を連ねてガイド灯として機能させることができ、廊下などの空間を夜間に低照度で照明することができる。また明るさセンサなどのセンサに連動せず、各機能モジュールＢ１１…において、モジュール本体に内蔵したガイド灯を点灯させるようにしても良く、複数の機能モジュールＢ１１…の光を連ねてガイド灯として機能させることができる。
【図面の簡単な説明】
【０１０１】
【図１】基本構成の配線システムに用いる機能モジュールを腰板モジュールに取り付けた状態を示し、（ａ）は正面図、（ｂ）は側断面図である。
【図２】同上に用いる機能モジュールを示し、（ａ）は外観斜視図、（ｂ）は正面図である。
【図３】同上の使用状態を説明する説明図である。
【図４】（ａ）は同上に用いる機能モジュールのブロック図、（ｂ）（ｃ）は機能モジュールの要部のブロック図である。
【図５】同上を用いる配線システムのシステム構成図である。
【図６】変形例１の配線システムに用いる機能モジュールのブロック図である。
【図７】変形例２の配線システムに用いる機能モジュールを腰板モジュールに取り付けた状態の一部省略せる外観斜視図である。
【図８】実施形態１の配線システムに用いる機能モジュールから基本機能モジュールを外した状態の外観斜視図である。
【図９】同上に用いる基本機能モジュールと拡張機能モジュールとの連結構成の説明図である。
【図１０】同上に用いるゲート装置と基本機能モジュールの回路構成図である。
【図１１】同上に用いる基本機能モジュールを背面側から見た外観斜視図である。
【図１２】（ａ）は同上に用いる基本機能モジュールの化粧カバーを外した状態の斜視図、（ｂ）は同上に用いる連結体の斜視図である。
【図１３】同上に用いる拡張機能モジュールの回路構成図である。
【図１４】同上に用いる拡張機能モジュールを示し、（ａ）は正面図、（ｂ）は側面図、（ｃ）は蓋部を開き、連結体を外した状態の側面図である。
【図１５】同上に用いる機能モジュールを腰板モジュールに取り付けた状態の外観斜視図である。
【図１６】（ａ）（ｂ）は配線モジュールの他の構成を示す説明図である。
【図１７】同上の配線システムを用いた誘導照明装置の説明図である。
【図１８】同上の配線システムに用いる腰板および機能モジュールの接続部分の説明図である。
【図１９】同上の配線システムに用いる腰板および機能モジュールの接続部分の説明図である。
【図２０】同上の配線システムに用いる幅木および機能モジュールの接続部分の説明図である。
【図２１】同上の配線システムに用いる腰板および機能モジュールの接続部分の説明図である。
【符号の説明】
【０１０２】
Ａ  腰板モジュール
Ｂ  機能モジュール
Ｌ１，Ｌ２  導電板
１  腰板パネル
２  係止溝
４  モジュール本体
４ａ  本体部
４ｂ  突出部
５ａ  電源接続端子
５ｂ  情報接続端子
【図１】
0004591440.tif 000002
【図２】
0004591440.tif 000003
【図３】
0004591440.tif 000004
【図４】
0004591440.tif 000005
【図５】
0004591440.tif 000006
【図６】
0004591440.tif 000007
【図７】
0004591440.tif 000008
【図８】
0004591440.tif 000009
【図９】
0004591440.tif 000010
【図１０】
0004591440.tif 000011
【図１１】
0004591440.tif 000012
【図１２】
0004591440.tif 000013
【図１３】
0004591440.tif 000014
【図１４】
0004591440.tif 000015
【図１５】
0004591440.tif 000016
【図１６】
0004591440.tif 000017
【図１７】
0004591440.tif 000018
【図１８】
0004591440.tif 000019
【図１９】
0004591440.tif 000020
【図２０】
0004591440.tif 000021
【図２１】
0004591440.tif 000022